(57)【要約】【課題】ユニットバス内において愛玩動物の洗浄を容易かつ都合良くなせるようにする。【解決手段】愛玩動物の載せ台１と、壁部１０１にこの載せ台１の収納凹部２とを備えたユニットバス１００である。載せ台１は、水平軸ｘをもって収納凹部２に、起立位置から伏倒位置までの間での回動を可能とした状態で組み付けられている。壁部１０１側には、載せ台１の起立状態を解除可能に維持する起立位置にある載せ台１の上端部への掛合手段３が備えられている。収納凹部２内には、起立位置における載せ台１の下端部であって水平軸ｘより下方に位置される箇所１ａに対して、載せ台１の所定の回動位置において突き当てられて載せ台１の伏倒状態を維持する移動規制部２ａが備えられている。【選択図】          図４
2004351099.tif 000002
【特許請求の範囲】
【請求項１】
愛玩動物の載せ台と、壁部にこの載せ台の収納凹部とを備えたユニットバスであって、
載せ台は、水平軸をもって収納凹部に、この水平軸を回動中心として収納凹部に少なくともその一部を納めさせた起立位置から伏倒位置までの間での回動を可能とした状態で組み付けられており、
壁部側には、載せ台の起立状態を解除可能に維持する起立位置にある載せ台の上端部への掛合手段が備えられており、
さらに、収納凹部内には、起立位置における載せ台の下端部であって水平軸より下方に位置される箇所に対して、載せ台の所定の回動位置において突き当てられて載せ台の伏倒状態を維持する移動規制部が備えられていることを特徴とするユニットバス。
【請求項２】
移動規制部が、伏倒位置にある載せ台の上面が収納凹部の内奥部に近づくに連れて下方に近づく向きの傾斜面となるように、載せ台に突き当てられるようにしてあることを特徴とする請求項１記載のユニットバス。
【請求項３】
移動規制部が、水平軸に沿った方向において隣り合う突き当たり部との間に間隔を開けて下方に突き出す二カ所以上の突き当たり部を有しており、この突き当たり部を載せ台に突き当てさせるようにしてあることを特徴とする請求項１又は請求項２記載のユニットバス。
【請求項４】
伏倒位置にある載せ台の上面を巡る載せ台の縁部のうち、収納凹部から突き出されている縁部に、この縁部に沿って上方に向けて突き出す立ち上がり部が形成してあることを特徴とする請求項１〜請求項３のいずれか１項に記載のユニットバス。
【請求項５】
収納凹部が、ユニットバスの壁部に開設された取り付け穴への入れ込み部と、この取り付け穴への入れ込み部の入れ込みに伴ってこの取り付け穴の穴縁部に接する取り付け用フランジとを備えた載せ台支持体に形成されたこの載せ台支持体の前面において開放された窪みによって構成されるようにしてあることを特徴とする請求項１〜請求項４のいずれか１項に記載のユニットバス。
【発明の詳細な説明】
【０００１】
【発明の属する技術分野】
この発明は、ユニットバス内において、犬猫などの愛玩動物の洗浄作業を容易になすことができるようにした構造を備えたユニットバスに関する。
【０００２】
【従来の技術】
犬猫などの愛玩動物の洗浄、典型的には、シャンプーや散歩後の足などの洗浄などは、浴室でなされることが少なくない。特に、マンションなどの集合住宅においては専用部分以外の敷地内には居住者が自由に使用可能な洗浄設備は設けられていないことが多く、洗浄設備があったとしてもそれを愛玩動物の洗浄に用いることは許容されていないのが通例である。
【０００３】
一方、現在、浴室はユニットバスにより構成されることが多くなっており、特に、集合住宅においてはその傾向が顕著であるところ、ユニットバスには事後的な造作が施し難く、愛玩動物に関していえば、ユニットバス内におけるその洗浄などに都合の良い構造を居住者において適宜造作することは困難である。
【０００４】
【発明が解決しようとする課題】
こうしたことから、ユニットバス内において愛玩動物を洗浄するにあたっては、ユニットバス内に愛玩動物を導き入れ、このユニットバスの床面上においてその洗浄をなす他なかった。洗浄をなす飼い主は、通例、ユニットバス内でかがみ込むようにしてこうした洗浄をなすことを余儀なくされており、また、こうした洗浄は着衣など濡らすことなく行ない難いものでもあった。
【０００５】
そこでこの発明は、ユニットバス内において愛玩動物の洗浄を容易かつ都合良くなせるようにすることを主たる目的とする。
【０００６】
【課題を解決するための手段】
前記目的を達成するために、請求項１記載の発明にあっては、ユニットバスが以下の（１）〜（４）の構成を備えたものとした。
（１）愛玩動物の載せ台と、壁部にこの載せ台の収納凹部とを備えたユニットバスであって、
（２）載せ台は、水平軸をもって収納凹部に、この水平軸を回動中心として収納凹部に少なくともその一部を納めさせた起立位置から伏倒位置までの間での回動を可能とした状態で組み付けられており、
（３）壁部側には、載せ台の起立状態を解除可能に維持する起立位置にある載せ台の上端部への掛合手段が備えられており、
（４）さらに、収納凹部内には、起立位置における載せ台の下端部であって水平軸より下方に位置される箇所に対して、載せ台の所定の回動位置において突き当てられて載せ台の伏倒状態を維持する移動規制部が備えられている。
【０００７】
かかる構成によれば、前記掛合手段による載せ台の起立状態の維持を解除することにより、この載せ台を起立位置から伏倒位置まで回動させることができる。載せ台は前記下端部の箇所を移動規制部に突き当てさせる位置までその回動が許容され、この突き当たり位置においてこの突き当たりによってその伏倒状態が維持される。そして、このように伏倒された載せ台の上面に愛玩動物を載せてかかる愛玩動物をユニットバス内において容易に洗浄することができる。すなわち、かかる載せ台によってユニットバスの底面よりも高い位置に愛玩動物を位置させてのかかる愛玩動物の洗浄作業が可能となる。
【０００８】
こうした洗浄が終了した後は、伏倒位置にある載せ台を再び起立位置まで回動させると共に、前記掛合手段によってこの載せ台の起立状態を維持させることにより、載せ台をユニットバス内において邪魔にならないように位置づけさせておくことができる。
【０００９】
また、請求項２記載の発明にあっては、請求項１記載のユニットバスにおける移動規制部が、伏倒位置にある載せ台の上面が収納凹部の内奥部に近づくに連れて下方に近づく向きの傾斜面となるように、載せ台に突き当てられるようにしてあることを特徴としている。
【００１０】
このようにすれば、載せ台上での洗浄によって生じた排水されるべき湯水が、伏倒位置にある載せ台の前端側に向けて流れ難くすることができ、洗浄作業者の着衣などをできる限り濡らさないようにすることができる。
【００１１】
また、請求項３記載の発明にあっては、請求項１又は請求項２記載のユニットバスにおける移動規制部が、水平軸に沿った方向において隣り合う突き当たり部との間に間隔を開けて下方に突き出す二カ所以上の突き当たり部を有しており、この突き当たり部を載せ台に突き当てさせるようにしてあることを特徴としている。
【００１２】
このようにすれば、載せ台上での洗浄によって生じた排水されるべき湯水を、移動規制部における隣り合う突き当たり部の間から流し出させるようにすることができる。
【００１３】
また、請求項４記載の発明にあっては、請求項１〜請求項３のいずれか１項に記載のユニットバスにおける伏倒位置にある載せ台の上面を巡る載せ台の縁部のうち、収納凹部から突き出されている縁部に、この縁部に沿って上方に向けて突き出す立ち上がり部が形成してあることを特徴としている。
【００１４】
このようにすれば、載せ台上での洗浄によって生じた排水されるべき湯水が、伏倒位置にある載せ台の後端側に向けてのみ流れるようにすることができ、洗浄作業者の着衣などをより濡らさない状態での洗浄作業が可能となる。また、愛玩動物を安定的に載せ台上に載せさせることができる。
【００１５】
また、請求項５記載の発明にあっては、請求項１〜請求項４のいずれか１項に記載のユニットバスにおける収納凹部が、ユニットバスの壁部に開設された取り付け穴への入れ込み部と、この取り付け穴への入れ込み部の入れ込みに伴ってこの取り付け穴の穴縁部に接する取り付け用フランジとを備えた載せ台支持体に形成されたこの載せ台支持体の前面において開放された窪みによって構成されるようにしてあることを特徴としている。
【００１６】
このようにすれば、既存のユニットバスの壁部に前記取り付け穴を開設させた後、この取り付け穴に載せ台支持体の入れ込み部を入れ込ませて前記取り付け用フランジをもってこの壁部に載せ台支持体を適切に取り付けることができ、これにより既設のユニットバスから愛玩動物の洗浄作業を容易とする前記載せ台を備えたユニットバスを容易に構成させることができる。
【００１７】
【発明の実施の形態】
以下、図１ないし図５に基づいて、この発明の典型的な実施の形態について説明する。
【００１８】
なお、ここで図１は、実施の形態にかかるユニットバス１００の要部を分離して斜視の状態として示しており、また、図２および図３は、かかるユニットバス１００を構成する載せ台１とこの載せ台１を支持する載せ台支持体４のみを組み合わせた状態として示しており、図２は載せ台１が伏倒位置にある状態、図３は載せ台１が起立位置にある状態をそれぞれ示している。また、図４および図５は、ユニットバス１００の要部を断面の状態にして示しており、両図における左側がユニットバス１００の室内側となると共に、図４は載せ台１が伏倒位置にある状態、図５は載せ台１が起立位置にある状態をそれぞれ示している。
【００１９】
この実施の形態にかかるユニットバス１００は、ユニットバス１００内において、犬猫などの愛玩動物の洗浄作業を容易になすことができるようにした構造を備えたものである。
【００２０】
かかるユニットバス１００は、愛玩動物の載せ台１を備えている。また、ユニットバス１００の壁部１０１にこの載せ台１の収納凹部２を備えている。
【００２１】
かかる収納凹部２は、ユニットバス１００を構成する壁部１０１、典型的には壁パネル１０１’などを成形するにあたって、この壁パネル１０１’などに予め形成させた窪みによって構成させることができる。
【００２２】
また、かかる収納凹部２は、図示の例のように、窪み４ａを備えた載せ台支持体４を、前記壁パネル１０１’などに開設させた取り付け穴１０２を利用してこの壁パネル１０１’などに事後的に備え付けさせてユニットバス１００に設けさせるようにすることができる。
【００２３】
かかる載せ台１は、水平軸ｘをもって収納凹部２に、この水平軸ｘを回動中心として収納凹部２に少なくともその一部を納めさせた起立位置から伏倒位置までの間での回動を可能とした状態で組み付けられている。
【００２４】
また、前記壁部１０１側には、載せ台１の起立状態を解除可能に維持する起立位置にある載せ台１の上端部への掛合手段３が備えられている。
【００２５】
また、前記収納凹部２内には、起立位置における載せ台１の下端部であって水平軸ｘより下方に位置される箇所１ａに対して、載せ台１の所定の回動位置において突き当てられて載せ台１の伏倒状態を維持する移動規制部２ａが備えられている。
【００２６】
これにより、かかるユニットバス１００にあっては、前記掛合手段３による載せ台１の起立状態の維持を解除することにより、この載せ台１を起立位置から伏倒位置まで回動させることができる。載せ台１は前記下端部の箇所１ａを移動規制部２ａに突き当てさせる位置までその回動が許容され、この突き当たり位置においてこの突き当たりによってその伏倒状態が維持される。そして、このように伏倒された載せ台１の上面に愛玩動物を載せてかかる愛玩動物をユニットバス１００内において容易に洗浄することができる。すなわち、かかる載せ台１によってユニットバス１００の床面よりも高い位置に愛玩動物を位置させてのかかる愛玩動物の洗浄作業が可能となる。かかる載せ台１近傍のユニットバス１００の壁部１０１にシャワーヘッドのフックやシャワーヘッドに湯水を供給するホースのフックなどをさらに設けるようにしておけば、かかる洗浄作業を一層行い易くすることができる。
【００２７】
こうした洗浄が終了した後は、伏倒位置にある載せ台１を再び起立位置まで回動させると共に、前記掛合手段３によってこの載せ台１の起立状態を維持させることにより、載せ台１をユニットバス１００内において邪魔にならないように位置づけさせておくことができる。
【００２８】
図示の例にあっては、収納凹部２は、ユニットバス１００の壁部１０１に開設された取り付け穴１０２への入れ込み部４ｂと、この取り付け穴１０２への入れ込み部４ｂの入れ込みに伴ってこの取り付け穴１０２の穴縁部に接する取り付け用フランジ４ｃとを備えた載せ台支持体４に形成されたこの載せ台支持体４の前面において開放された窪み４ａによって構成されるようにしてある。
【００２９】
具体的には、図示の例にあっては、収納凹部２は、前面を開放させると共に、上板部４ｄと、下板部４ｅと、左右板部４ｆ、４ｆと、収納凹部２の内奥部を形成させる奥板部４ｇとを備えた箱状をなす載せ台支持体４の内部空間４ｈによって構成されている。かかる内部空間４ｈは水密なものとされる。
【００３０】
載せ台支持体４の外面部には、このように構成される収納凹部２の開放縁４ｉとの間に間隔を開けた状態で、載せ台支持体４の外周を巡るように前記取り付け用フランジ４ｃが形成されている。そして、図示の例では、この取り付け用フランジ４ｃから載せ台支持体４の奥板部４ｇの外面までの間が前記取り付け穴１０２への入れ込み部４ｂとなるようにしてある。
【００３１】
このようにした場合、既存のユニットバス１００の壁部１０１に前記取り付け穴１０２を開設させた後、この取り付け穴１０２に載せ台支持体４の入れ込み部４ｂを入れ込ませて前記取り付け用フランジ４ｃをもってこの壁部１０１に載せ台支持体４を適切に取り付けることができ、これにより既設のユニットバス１００から愛玩動物の洗浄作業を容易とする前記載せ台１を備えたユニットバス１００を容易に構成させることができる。
【００３２】
図示の例にあっては、ユニットバス１００の壁部１０１を構成する壁パネル１０１’に開設された取り付け穴１０２の穴縁部に対して、この取り付け穴１０２への載せ台支持体４の入れ込み部４ｂの入れ込みに伴ってユニットバス１００の室内側から載せ台支持体４の取り付け用フランジ４ｃが突き当てられるようになっている。そして、ユニットバス１００の室外側において、取り付け穴１０２の穴縁部に予め接着などして止着させておいたネジ１０４などの打ち込み用材１０３を利用して、取り付け用フランジ４ｃに対しユニットバス１００の室内側からネジ１０４などを打ち込んで前記壁パネル１０１’に対する載せ台支持体４の固定をなすようにしている。
【００３３】
図示の例にあっては、載せ台１は、このように構成される載せ台支持体４の開放部を起立状態においてほぼ密に塞ぐ大きさを備えた長方形の板状体として構成されている。
【００３４】
図示の例では、載せ台支持体４の左右板部４ｆ、４ｆの下部であって、開放部の開放縁４ｉ側にそれぞれ、軸穴４ｊが形成してあると共に、起立位置にある載せ台１の下端部であって、その末端との間にやや間隔を開けた位置に、この載せ台１の上下方向に沿った端部から側方に突き出す軸突部１ｂが形成してあり、この軸突部１ｂを軸穴４ｊに入れ込ませることにより、載せ台支持体４に対し載せ台１が回動可能に組み付けられている。
【００３５】
図示の例にあっては、載せ台１は、起立位置において、載せ台支持体４の奥板部４ｇの内面に向き合った面（伏倒位置における載せ台１の上面）と反対の面（伏倒位置における載せ台１の下面）を、収納凹部２の開放縁４ｉとほぼ同面上に位置させるように、この収納凹部２に納まるように構成されている。
【００３６】
そして、図示の例にあっては、載せ台支持体４における開放縁４ｉの上縁部に、棒状をなす頭部３ｂと、この頭部３ｂの両端部間において、この頭部３ｂの長さ方向に直交する向きに突き出す軸状脚部（図示は省略する。）を有する回転操作体３ａが、この軸状脚部を前記上縁部に回転可能に組み付けさせるようにして、備え付けられており、この回転操作体３ａの頭部３ｂの一端部が前記開放縁４ｉから収納凹部２の内方に向けて入り込んだこの回転操作体３ａの回転位置において、この回転操作体３ａの一端部が起立位置にある載せ台１の上端部における前記反対の面に引っ掛けられるようになっている。（図５）そして、この回転操作体３ａの一端部を起立位置にある載せ台１の上端部に引っ掛けることにより、載せ台１の起立状態を維持するようにしてある。この起立状態を維持した状態から回転操作体３ａをひねり回し操作することにより、回転操作体３ａの頭部３ｂの一端部と載せ台１の上端部との掛合状態はワンタッチで解くことができる。（図４）すなわち、図示の例にあっては、この回転操作体３ａが前記掛合手段３として機能するようになっている。
【００３７】
また、図示の例にあっては、収納凹部２の内部、つまり、載せ台支持体４の内部であって、その下部側に、前記移動規制部２ａが形成されている。
【００３８】
図示の例では、かかる移動規制部２ａは、載せ台支持体４の奥板部４ｇの内面部から前方に一体に突き出すと共に、載せ台支持体４の内部において左右板部４ｆ、４ｆの内面間に亘る長さを備えた棚板状体として構成されている。
【００３９】
図示の例では、この移動規制部２ａの上面および下面はいずれもほぼ水平の面となるようにしてある。また、かかる移動規制部２ａの下面は載せ台１の水平軸ｘ、つまり、前記軸突部１ｂの納まる軸穴４ｊの形成位置よりも上方に位置されるようになっている。また、この移動規制部２ａの下方には、起立位置と伏倒位置との間での載せ台１の回動を許容させる空間４ｋが形成されている。具体的には、この移動規制部２ａの下方に位置される載せ台支持体４の奥板部４ｇの内面とこれに続く下板部４ｅの内面は、前記水平軸ｘを中心とした載せ台１の回動を妨げないように、この水平軸ｘを中心とした載せ台１の下端部の末端の移動軌跡に倣った弧状の面４ｍとなっている。
【００４０】
起立位置にある載せ台１を伏倒位置に向けて回動させると、起立位置にある載せ台１の下端部のうち、前記水平軸ｘより下方に位置される箇所１ａが収納凹部２内により入り込み、最終的には移動規制部２ａに対し下方から突き当てられる。（つまり、この載せ台１の下端部に対し移動規制部２ａが上方から突き当たる。）これにより、載せ台１の伏倒状態が維持される。
【００４１】
また、図示の例にあっては、載せ台支持体４の上板部４ｄの内面と移動規制部２ａの上面との間に棚板部４ｎが形成されている。図示の例にあっては、この棚板部４ｎと移動規制部２ａとを利用して、収納凹部２内にシャンプーボトルなどの浴室の小物類を都合良く納めることができるようになっている。
【００４２】
また、図示の例にあっては、移動規制部２ａが、伏倒位置にある載せ台１の上面が収納凹部２の内奥部に近づくに連れて下方に近づく向きの傾斜面となるように、載せ台１に突き当てられるようにしてある。
【００４３】
このようにした場合、載せ台１上での洗浄によって生じた排水されるべき湯水が、伏倒位置にある載せ台１の前端側に向けて流れ難くすることができ、洗浄作業者の着衣などをできる限り濡らさないようにすることができる。
【００４４】
また、図示の例にあっては、移動規制部２ａが、水平軸ｘに沿った方向において隣り合う突き当たり部２ｂ、２ｂとの間に間隔を開けて下方に突き出す二カ所以上の突き当たり部２ｂ、２ｂ…を有しており、この突き当たり部２ｂを載せ台１に突き当てさせるようにしてある。
【００４５】
このようにした場合、載せ台１上での洗浄によって生じた排水されるべき湯水を、移動規制部２ａにおける隣り合う突き当たり部２ｂ、２ｂの間から流し出させるようにすることができる。流し出された排水されるべき湯水は収納凹部２の下部を通じてユニットバス１００の床面に流れ出される。図示の例では、伏倒位置にある載せ台１の上面は前記のように傾斜面とされ、かつ、移動規制部２ａの下方には前記弧状の面４ｍが形成されていることから、排水されるべき湯水は載せ台１の上面からユニットバス１００の床面に向けてスムースに流し出され、また、こうした湯水が収納凹部２内にできる限り残存しないようになっている。
【００４６】
図示の例では、かかる突き当たり部２ｂを、ゴム又はゴム状弾性を備えたプラスチックよりなる板状体２ｃを移動規制部２ａの下面に止着させることにより形成させている。この結果、図示の例では、載せ台１と移動規制部２ａとの突き当たりに伴う衝撃をこの突き当たり部２ｂによってある程度吸収するようになっている。
【００４７】
また、図示の例にあっては、伏倒位置にある載せ台１の上面を巡る載せ台１の縁部のうち、収納凹部２から突き出されている縁部に、この縁部に沿って上方に向けて突き出す立ち上がり部１ｃが形成してある。
【００４８】
具体的には、図示の例にあっては、伏倒位置にある載せ台１の前端縁に亘って前記立ち上がり部１ｃが形成されていると共に、この載せ台１の左右端縁のうち、この載せ台１が起立位置にある状態において移動規制部２ａの上面が位置されるレベルに位置される箇所からこの左右端縁と前記前端縁とのコーナー部との間に亘って前記立ち上がり部１ｃが形成されている。載せ台１の前端縁に形成されている立ち上がり部１ｃと左右端縁に形成されている立ち上がり部１ｃとは前記コーナー部において一体に連続している。
【００４９】
このようにした場合、載せ台１上での洗浄によって生じた排水されるべき湯水が、伏倒位置にある載せ台１の後端側に向けてのみ流れるようにすることができ、洗浄作業者の着衣などをより濡らさない状態での洗浄作業が可能となる。また、愛玩動物を安定的に載せ台１上に載せさせることができる。
【００５０】
載せ台１にこのように立ち上がり部１ｃを形成させていても載せ台１は起立位置において収納凹部２によりユニットバス１００内の外観性を損なうことなく支障なく収納可能とされる。
【００５１】
図示の例にあっては、前記棚板部４ｎの前端の左右両端部には、起立位置にある載せ台１のこの立ち上がり部１ｃが納めさせる割欠き部４ｏが形成されている。
【００５２】
なお、以上に説明した載せ台１および載せ台支持体４は、それぞれ、腐食しない素材、典型的には、プラスチック材料を用いた一体成型品として形成することが予定される。
【００５３】
【発明の効果】
この発明にかかるユニットバスにあっては、ユニットバスを構成する壁部に愛玩動物の載せ台を備えさせていることから、この載せ台を利用してユニットバス内において愛玩動物の洗浄を容易かつ都合良くなすことができる。また、載せ台はユニットバスを構成する壁部に備えられた収納凹部に納めさせることができることから、ユニットバスの外観性およびその通常の使用にも何らの支障も来さないものである。
【図面の簡単な説明】
【図１】ユニットバス１００の要部分離斜視構成図
【図２】ユニットバス１００の要部斜視構成図
【図３】ユニットバス１００の要部斜視構成図
【図４】ユニットバス１００の要部断面構成図
【図５】ユニットバス１００の要部断面構成図
【符号の説明】
ｘ  水平軸
１  載せ台
１ａ  起立位置における載せ台１の下端部であって水平軸ｘより下方に位置される箇所
２  収納凹部
２ａ  移動規制部
３  掛合手段
【図１】
2004351099.tif 000003
【図２】
2004351099.tif 000004
【図３】
2004351099.tif 000005
【図４】
2004351099.tif 000006
【図５】
2004351099.tif 000007